(57)【要約】【課題】コイルの形成が容易であると共に、同相のコイルにおける接触部位に生ずる電位差を小さくすることができるステータの巻線構造を提供すること。【解決手段】ステータ１の巻線構造における巻線部３０は、複数の単コイルＵＡ１〜４を連ねたＵ相、Ｖ相及びＷ相のコイルを互いに結線したコイル結線体を２個並列に接続してなる。Ｕ相のコイル４Ｕについて、一方のコイル結線体における通電時の最も高電圧側の単コイルＵＡ１は、他方のコイル結線体における通電時の最も低電圧側の単コイルＵＢ４以外の単コイルＵＢ１〜３と隣接しており、他方のコイル結線体における通電時の最も高電圧側の単コイルＵＢ１は、一方のコイル結線体における通電時の最も低電圧側の単コイルＵＡ４以外の単コイルＵＡ１〜３と周方向Ｃに隣接している。Ｖ相及びＷ相のコイルについても同様である。【選択図】図２
2009131058.tif 000002
【特許請求の範囲】
【請求項１】
Ｕ相、Ｖ相及びＷ相のコイルを含む巻線部を、分布巻き状態でステータコアにおける複数のスロットに配置してなるステータの巻線構造において、
上記巻線部は、上記Ｕ相、Ｖ相及びＷ相のコイルを互いに結線したコイル結線体を複数個有すると共に、該複数個のコイル結線体を並列に接続してなり、
上記Ｕ相、Ｖ相及びＷ相のコイルは、絶縁被膜を有する導線をループ状に形成した複数個の単コイルを直列に連ねて形成してあり、
上記ステータコアには、Ｕ相のスロットとＶ相のスロットとＷ相のスロットとが、所定数が互いに隣接して、順次繰り返し形成されており、
上記Ｕ相、Ｖ相及びＷ相のコイルのコイルエンド部は、上記ステータコアの径方向に互いにずれた位置に配置されており、上記各コイル結線体における上記単コイルは、上記各相のコイル毎に所定の順番で繰り返し並ぶよう、上記ステータコアの周方向に等間隔に分散して配置されており、
上記Ｕ相、Ｖ相及びＷ相のコイルについて、上記各コイル結線体における通電時の最も高電圧側の単コイルは、他のコイル結線体における通電時の最も低電圧側の単コイル以外の単コイルと隣接しており、
上記各コイル結線体における通電時の最も高電圧側の単コイルから外部機器と接続するために引き出した引出線と、他のコイル結線体における通電時の最も高電圧側の単コイルから外部機器と接続するために引き出した引出線とは、互いに隣接していない同相のスロットからそれぞれ引き出されていることを特徴とするステータの巻線構造。
【請求項２】
請求項１において、上記巻線部は、上記コイル結線体を２個有すると共に、該２個のコイル結線体を並列に接続してなり、
上記ステータコアにおける上記各相のスロットは、２個ずつが互いに隣接して形成されており、
上記Ｕ相、Ｖ相及びＷ相のコイルについて、一方の上記コイル結線体においては、通電時の最も高電圧側の単コイルから順に、上記ステータコアの周方向一方側に向けて配置されており、他方の上記コイル結線体は、通電時の最も高電圧側の単コイルから順に、上記ステータコアの周方向他方側に向けて配置されており、かつ上記ステータコアの周方向には、上記一方のコイル結線体における上記単コイルと、上記他方のコイル結線体における上記単コイルとが交互に配置されており、
上記Ｕ相、Ｖ相及びＷ相のコイルについて、上記一方のコイル結線体における通電時の最も高電圧側の単コイルは、上記他方のコイル結線体における通電時の最も低電圧側の単コイル以外の単コイルと隣接しており、
上記一方のコイル結線体における通電時の最も高電圧側の単コイルから引き出した一方の引出線と、上記他方のコイル結線体における通電時の最も高電圧側の単コイルから引き出した他方の引出線とは、互いに隣接していない同相のスロットからそれぞれ引き出されていることを特徴とするステータの巻線構造。
【請求項３】
請求項２において、上記Ｕ相、Ｖ相及びＷ相のコイルは、上記単コイルを４個直列に連ねて形成してあり、
上記Ｕ相、Ｖ相及びＷ相のコイルについて、上記一方のコイル結線体は、通電時の最も高電圧側の一方側第１単コイルから通電時の最も低電圧側の一方側第４単コイルまで順に、上記ステータコアの周方向一方側に向けて配置されており、上記他方のコイル結線体は、通電時の最も高電圧側の他方側第１単コイルを、上記一方側第１単コイルと該一方側第１単コイルに連なる一方側第２単コイルとの間に配置して、上記他方側第１単コイルから通電時の最も低電圧側の他方側第４単コイルまで順に、上記ステータコアの周方向他方側に向けて配置されていることを特徴とするステータの巻線構造。
【請求項４】
請求項２において、上記Ｕ相、Ｖ相及びＷ相のコイルは、上記単コイルを４個直列に連ねて形成してあり、
上記Ｕ相、Ｖ相及びＷ相のコイルについて、上記一方のコイル結線体は、通電時の最も高電圧側の一方側第１単コイルから通電時の最も低電圧側の一方側第４単コイルまで順に、上記ステータコアの周方向一方側に向けて配置されており、
上記他方のコイル結線体は、通電時の最も高電圧側の他方側第１単コイルを、上記一方側第１単コイルに連なる一方側第２単コイルと該一方側第２単コイルに連なる一方側第３単コイルとの間に配置して、上記他方側第１単コイルから通電時の最も低電圧側の他方側第４単コイルまで順に、上記ステータコアの周方向他方側に向けて配置されていることを特徴とするステータの巻線構造。
【請求項５】
請求項１〜４のいずれか一項において、上記Ｕ相、Ｖ相及びＷ相のコイルにおいて、上記複数個のコイル結線体における通電時の最も高電圧側の単コイルから引き出した上記引出線同士は、引出端子として互いに結線されており、
上記複数個のコイル結線体について、上記各相のコイルにおける通電時の最も低電圧側の単コイルから引き出した引出線同士は、中性点として互いに結線されていることを特徴とするステータの巻線構造。
【請求項６】
請求項１〜４のいずれか一項において、上記複数個のコイル結線体において、上記Ｕ相のコイルにおける通電時の最も低電圧側の単コイルから引き出した上記引出線と、上記Ｖ相のコイルにおける通電時の最も高電圧側の単コイルから引き出した上記引出線とは、Ｕ−Ｖ端子として互いに結線されており、上記Ｖ相のコイルにおける通電時の最も低電圧側の単コイルから引き出した上記引出線と、上記Ｗ相のコイルにおける通電時の最も高電圧側の単コイルから引き出した上記引出線とは、Ｖ−Ｗ端子として互いに結線されており、上記Ｗ相のコイルにおける通電時の最も低電圧側の単コイルから引き出した上記引出線と、上記Ｕ相のコイルにおける通電時の最も高電圧側の単コイルから引き出した上記引出線とは、Ｗ−Ｕ端子として互いに結線されていることを特徴とするステータの巻線構造。
【請求項７】
請求項１〜６のいずれか一項において、上記引出線は、被覆部材によって被覆してあることを特徴とするステータの巻線構造。
【発明の詳細な説明】
【技術分野】
【０００１】
本発明は、Ｕ相、Ｖ相及びＷ相のコイルを含む巻線部を、分布巻き状態でステータコアにおける複数のスロットに配置してなるステータの巻線構造に関する。
【背景技術】
【０００２】
例えば、自動車等に用いるモータ、ジェネレータ、モータジェネレータ等の回転電機は、電圧形インバータによるパルス幅変調信号（ＰＷＭ信号）による三相交流電圧を用いて、回転制御を行っている。また、所望とする出力性能を得るために、ステータにおける巻線部を構成するＵ相、Ｖ相及びＷ相のコイルを、並列に接続することが行われている。
例えば、図１７〜図１９に示すごとく、Ｕ相、Ｖ相及びＷ相のコイル４Ｕ、４Ｖ、４Ｗを、絶縁被膜を有する導線をループ状に形成した複数個の単コイルＵＡ１〜４（ＵＢ１〜４）、ＶＡ１〜４（ＶＢ１〜４）、ＷＡ１〜４（ＷＢ１〜４）を直列に連ねて形成し、Ｕ相、Ｖ相及びＷ相のコイル４Ｕ、４Ｖ、４ＷをＹ結線（スター結線）した２個のコイル結線体３Ａ、３Ｂを、並列に接続した２Ｙ型の巻線部９０がある。この巻線部９０においては、Ｕ相、Ｖ相及びＷ相の各相のコイル４Ｕ、４Ｖ、４Ｗについて、２個のコイル結線体３Ａ、３Ｂにおける通電時の高電圧側の引出線４１同士を結線して、Ｕ相、Ｖ相及びＷ相の各相の端子５Ｕ、５Ｖ、５Ｗを形成している。
【０００３】
そして、各相の端子５Ｕ、５Ｖ、５Ｗまでの各引出線４１の引き出し長さを短くするために、ステータコア２において互いに隣接して形成したスロット２１から各引出線４１が引き出されるようにしている。そして、各コイル結線体３Ａ、３Ｂにおける各相のコイル４Ｕ、４Ｖ、４Ｗの単コイルは、端子５Ｕ、５Ｖ、５Ｗに最も近い（通電時の最も高電圧側の）単コイル同士（ＵＡ１、ＵＢ１等）を隣接させ、各コイル結線体３Ａ、３Ｂにおける単コイルＵＡ１〜４、ＵＢ１〜４が周方向Ｃに均等に分散するよう、ステータコア２の周方向Ｃにおける互いに逆方向へ順次残りの単コイル（ＵＡ２〜４、ＵＢ２〜４等）を交互に配置している。
【０００４】
ところで、上記巻線部９０においては、Ｕ相、Ｖ相及びＷ相のコイル４Ｕ、４Ｖ、４Ｗ同士は、相間絶縁紙３５を用いて絶縁性が確保される一方、各相のコイル４Ｕ、４Ｖ、４Ｗにおける単コイルＵＡ１〜４（ＵＢ１〜４）、ＶＡ１〜４（ＶＢ１〜４）、ＷＡ１〜４（ＷＢ１〜４）同士は互いに接触する又は接触する可能性がある。これにより、単コイル同士は、これを構成する導線における絶縁被膜によってのみ絶縁されることになる。特に、通電時の最も高電圧側の単コイルＵＡ１（ＵＢ１）と通電時の最も低電圧側の単コイルＵＢ４（ＵＡ４）とがステータコア２の周方向Ｃに隣り合って、接触又は接触する可能性がある場合には、これらの間には大きな電位差が生じる。
【０００５】
そのため、同相のコイルにおける絶縁性能を高めるためには、導線における絶縁被膜の厚み（膜厚）を大きくする必要がある。
しかしながら、絶縁被膜の厚みを大きくすると、導線の外径が太くなり、スロット内に占める導体部分の割合が小さくなる又はスロット内に配置するコイル全体（導線を束ねたもの）の断面積が大きくなるという問題が生じる。また、コイルの一部がステータコアの軸方向端面から突出してなるコイルエンド部が大きくなるという問題も生じる。
【０００６】
また、特許文献１においては、循環電流の発生を抑制するために、複数のコイルを含む２つのコイル群を並列に接続してコア体に配置した回転電機におけるステータの巻線構造が開示されている。この巻線構造においては、複数の第１コイルは、その直列接続順に交互に逆向きに巻回されると共にコア体の周方向において分離され、かつ、分離された一方と他方とがコア体の径方向に対向するように配置されており、複数の第２コイルは、その直列接続順に交互に逆向きに巻回されると共にコア体の周方向において分離され、かつ、分離された一方と他方とがコア体の径方向に対向するように配置されている。
【０００７】
特許文献１においては、通電時の最も高電圧側のコイル（単コイル）と通電時の最も低電圧側のコイル（単コイル）とがステータコアの周方向に隣り合っておらず、コイルにおいて生ずる電位差を緩和することができる。
しかしながら、特許文献１のステータの巻線構造においては、２つのコイル群において、直列に接続する単コイル同士は、常に交互に逆巻きにし、一方と他方とに分離した各コイルを繋ぐ渡線の長さを長くする必要がある。そのため、２つのコイル群の形成が容易ではなく、複雑な巻線を行ってコイル群を形成する必要がある。
【０００８】
【特許文献１】特開２００６−３１１７３３号公報
【発明の開示】
【発明が解決しようとする課題】
【０００９】
本発明は、かかる従来の問題点に鑑みてなされたもので、コイルの形成が容易であると共に、同相のコイルにおける接触部位に生ずる電位差を小さくすることができるステータの巻線構造を提供しようとするものである。
【課題を解決するための手段】
【００１０】
本発明は、Ｕ相、Ｖ相及びＷ相のコイルを含む巻線部を、分布巻き状態でステータコアにおける複数のスロットに配置してなるステータの巻線構造において、
上記巻線部は、上記Ｕ相、Ｖ相及びＷ相のコイルを互いに結線したコイル結線体を複数個有すると共に、該複数個のコイル結線体を並列に接続してなり、
上記Ｕ相、Ｖ相及びＷ相のコイルは、絶縁被膜を有する導線をループ状に形成した複数個の単コイルを直列に連ねて形成してあり、
上記ステータコアには、Ｕ相のスロットとＶ相のスロットとＷ相のスロットとが、所定数が互いに隣接して、順次繰り返し形成されており、
上記Ｕ相、Ｖ相及びＷ相のコイルのコイルエンド部は、上記ステータコアの径方向に互いにずれた位置に配置されており、上記各コイル結線体における上記単コイルは、上記各相のコイル毎に所定の順番で繰り返し並ぶよう、上記ステータコアの周方向に等間隔に分散して配置されており、
上記Ｕ相、Ｖ相及びＷ相のコイルについて、上記各コイル結線体における通電時の最も高電圧側の単コイルは、他のコイル結線体における通電時の最も低電圧側の単コイル以外の単コイルと隣接しており、
上記各コイル結線体における通電時の最も高電圧側の単コイルから外部機器と接続するために引き出した引出線と、他のコイル結線体における通電時の最も高電圧側の単コイルから外部機器と接続するために引き出した引出線とは、互いに隣接していない同相のスロットからそれぞれ引き出されていることを特徴とするステータの巻線構造にある（請求項１）。
【００１１】
本発明のステータの巻線構造は、Ｕ相、Ｖ相及びＷ相のコイルを互いに結線したコイル結線体を並列に複数個接続してなる巻線部を有する場合に、いずれかのコイル結線体における通電時の最も高電圧側の単コイルと、他のコイル結線体における通電時の最も低電圧側の単コイルとが接触しないようにする工夫を行っている。
本発明においては、各コイル結線体における引出線の長さを短くするためには、各引出線を互いに隣接する同相のスロットから引き出していた従来の常識を覆し、各コイル結線体における引出線を互いに隣接しない同相のスロットから引き出している。
【００１２】
すなわち、本発明においては、Ｕ相、Ｖ相及びＷ相のコイルについて、各コイル結線体における通電時の最も高電圧側の単コイルは、他のコイル結線体における通電時の最も低電圧側の単コイル以外の単コイルと隣接している。また、各コイル結線体における通電時の最も高電圧側の単コイルから引き出した引出線と、他のコイル結線体における通電時の最も高電圧側の単コイルから引き出した引出線とは、互いに隣接していない同相のスロットからそれぞれ引き出されている。
【００１３】
これにより、各コイル結線体における通電時の最も高電圧側の単コイルが、他のコイル結線体における通電時の最も低電圧側の単コイルと、ステータコアの周方向に隣り合って接触することを防止することができる。
そのため、各単コイルにおいて、互いに接触する又は接触する可能性のある導線同士の間に生じる電位差を緩和することができ、導線における絶縁被膜の厚みを小さくすることができる。
【００１４】
また、各コイル結線体における単コイルは、各相のコイル毎に所定の順番で繰り返し並ぶよう、ステータコアの周方向に等間隔に分散して配置されている。これにより、各コイル結線体における各相のコイル毎に、複数個の単コイルを構成する導線の巻き方向を同じにすることができ、複数個の単コイルを交互に逆巻きにする必要がなくなる。そのため、各相のコイルの形成が容易であり、複雑な巻線を行う必要がなくなる。
【００１５】
それ故、本発明のステータの巻線構造によれば、コイルの形成が容易であると共に、同相のコイルにおける接触部位に生ずる電位差を小さくすることができ、ひいては、各相のコイルを構成する導線における絶縁被膜の厚みを小さくすることができる。
【発明を実施するための最良の形態】
【００１６】
上述した本発明における好ましい実施の形態につき説明する。
本発明のステータの巻線構造は、電動機（モータ）、発電機（ジェネレータ）、モータジェネレータ等のステータ（固定子）に用いることができる。
上記コイルエンド部とは、各相のコイルの一部が上記ステータコアの軸方向端面から突出した部分のことをいう。
【００１７】
本発明において、上記巻線部は、上記コイル結線体を２個有すると共に、該２個のコイル結線体を並列に接続してなり、上記ステータコアにおける上記各相のスロットは、２個ずつが互いに隣接して形成されており、上記Ｕ相、Ｖ相及びＷ相のコイルについて、一方の上記コイル結線体においては、通電時の最も高電圧側の単コイルから順に、上記ステータコアの周方向一方側に向けて配置されており、他方の上記コイル結線体は、通電時の最も高電圧側の単コイルから順に、上記ステータコアの周方向他方側に向けて配置されており、かつ上記ステータコアの周方向には、上記一方のコイル結線体における上記単コイルと、上記他方のコイル結線体における上記単コイルとが交互に配置されており、上記Ｕ相、Ｖ相及びＷ相のコイルについて、上記一方のコイル結線体における通電時の最も高電圧側の単コイルは、上記他方のコイル結線体における通電時の最も低電圧側の単コイル以外の単コイルと隣接しており、上記一方のコイル結線体における通電時の最も高電圧側の単コイルから引き出した一方の引出線と、上記他方のコイル結線体における通電時の最も高電圧側の単コイルから引き出した他方の引出線とは、互いに隣接していない同相のスロットからそれぞれ引き出されていることが好ましい（請求項２）。
この場合には、コイル結線体を２個有する巻線部について、各コイル結線体における各相のコイルの形成が容易であると共に、同相のコイルにおける接触部位に生ずる電位差を小さくすることができ、導線における絶縁被膜を小さくすることができる。
【００１８】
また、上記Ｕ相、Ｖ相及びＷ相のコイルは、上記単コイルを４個直列に連ねて形成し、上記Ｕ相、Ｖ相及びＷ相のコイルについて、上記一方のコイル結線体は、通電時の最も高電圧側の一方側第１単コイルから通電時の最も低電圧側の一方側第４単コイルまで順に、上記ステータコアの周方向一方側に向けて配置し、上記他方のコイル結線体は、通電時の最も高電圧側の他方側第１単コイルを、上記一方側第１単コイルと該一方側第１単コイルに連なる一方側第２単コイルとの間に配置して、上記他方側第１単コイルから通電時の最も低電圧側の他方側第４単コイルまで順に、上記ステータコアの周方向他方側に向けて配置することができる（請求項３）。
この場合には、絶縁被膜の厚みを小さくした導線を用いて、８個の単コイルを有する各相のコイルを容易に形成することができる。そして、ステータにおけるコイルエンド部のサイズを小型化することができると共に、このステータを用いて構成したモータ等の出力性能を向上させることができる。
【００１９】
また、上記Ｕ相、Ｖ相及びＷ相のコイルは、上記単コイルを４個直列に連ねて形成し、上記Ｕ相、Ｖ相及びＷ相のコイルについて、上記一方のコイル結線体は、通電時の最も高電圧側の一方側第１単コイルから通電時の最も低電圧側の一方側第４単コイルまで順に、上記ステータコアの周方向一方側に向けて配置し、上記他方のコイル結線体は、通電時の最も高電圧側の他方側第１単コイルを、上記一方側第１単コイルに連なる一方側第２単コイルと該一方側第２単コイルに連なる一方側第３単コイルとの間に配置して、上記他方側第１単コイルから通電時の最も低電圧側の他方側第４単コイルまで順に、上記ステータコアの周方向他方側に向けて配置することもできる（請求項４）。
この場合にも、絶縁被膜の厚みを小さくした導線を用いて、８個の単コイルを有する各相のコイルを容易に形成することができる。そして、ステータにおけるコイルエンド部のサイズを小型化することができると共に、このステータを用いて構成したモータ等の出力性能を向上させることができる。
【００２０】
また、上記Ｕ相、Ｖ相及びＷ相のコイルにおいて、上記複数個のコイル結線体における通電時の最も高電圧側の単コイルから引き出した上記引出線同士は、引出端子として互いに結線し、上記複数個のコイル結線体について、上記各相のコイルにおける通電時の最も低電圧側の単コイルから引き出した引出線同士は、中性点として互いに結線することができる（請求項５）。
この場合には、Ｕ相、Ｖ相及びＷ相のコイルに対して、Ｙ結線（スター結線）を行ってコイル結線体を形成し、このＹ結線のコイル結線体を複数個有する巻線部について、同相のコイルにおける接触部位に生ずる電位差を小さくすることができ、導線における絶縁被膜を小さくすることができる。
【００２１】
また、上記複数個のコイル結線体において、上記Ｕ相のコイルにおける通電時の最も高電圧側の単コイルから引き出した上記引出線と、上記Ｖ相のコイルにおける通電時の最も低電圧側の単コイルから引き出した上記引出線とは、Ｕ−Ｖ端子として互いに結線し、上記Ｖ相のコイルにおける通電時の最も高電圧側の単コイルから引き出した上記引出線と、上記Ｗ相のコイルにおける通電時の最も低電圧側の単コイルから引き出した上記引出線とは、Ｖ−Ｗ端子として互いに結線し、上記Ｗ相のコイルにおける通電時の最も高電圧側の単コイルから引き出した上記引出線と、上記Ｕ相のコイルにおける通電時の最も低電圧側の単コイルから引き出した上記引出線とは、Ｗ−Ｕ端子として互いに結線することもできる（請求項６）。
この場合には、Ｕ相、Ｖ相及びＷ相のコイルに対して、デルタ結線を行ってコイル結線体を形成し、このデルタ結線のコイル結線体を複数個有する巻線部について、同相のコイルにおける接触部位に生ずる電位差を小さくすることができ、導線における絶縁被膜を小さくすることができる。
【００２２】
また、上記引出線は、被覆部材によって被覆することが好ましい（請求項７）。
この場合には、引出線と各相のコイルとが接触するときでも、被覆部材によって絶縁性を容易に向上させることができる。
【実施例】
【００２３】
以下に、本発明のステータの巻線構造にかかる実施例につき、図面を参照して説明する。
（実施例１）
本例のステータ１の巻線構造は、図１、図５に示すごとく、Ｕ相、Ｖ相及びＷ相のコイル４Ｕ、４Ｖ、４Ｗを含む巻線部３０を、分布巻き状態でステータコア２における複数のスロット２１に配置してなる。巻線部３０は、Ｕ相、Ｖ相及びＷ相のコイル４Ｕ、４Ｖ、４Ｗを互いに結線したコイル結線体３を複数個有すると共に、複数個のコイル結線体３を並列に接続してなる。図６に示すごとく、Ｕ相のコイル４Ｕは、絶縁被膜を有する導線３１をループ状に形成した複数個の単コイルＵＡ１〜４（又はＵＢ１〜４）を直列に連ねて形成してある。Ｖ相のコイル４Ｖは、絶縁被膜を有する導線３１をループ状に形成した複数個の単コイルＶＡ１〜４（又はＶＢ１〜４）を直列に連ねて形成してある。Ｗ相のコイル４Ｗは、絶縁被膜を有する導線３１をループ状に形成した複数個の単コイルＷＡ１〜４（又はＷＢ１〜４）を直列に連ねて形成してある。
図１に示すごとく、ステータコア２には、Ｕ相のスロット２１ＵとＶ相のスロット２１ＶとＷ相のスロット２１Ｗとが、所定数が互いに隣接して、順次繰り返し形成されている。
【００２４】
図１〜図４に示すごとく、Ｕ相、Ｖ相及びＷ相のコイル４Ｕ、４Ｖ、４Ｗのコイルエンド部３３は、ステータコア２の径方向Ｒに互いにずれた位置に配置されており、各コイル結線体３における単コイルＵＡ１〜４及びＵＢ１〜４（ＶＡ１〜４及びＶＢ１〜４、ＷＡ１〜４及びＷＢ１〜４）は、各相のコイル４Ｕ、４Ｖ、４Ｗ毎に所定の順番で繰り返し並ぶよう、周方向Ｃに等間隔に分散して配置されている。Ｕ相のコイル４Ｕについて、各コイル結線体３における通電時の最も高電圧側の単コイルＵＡ１（ＵＢ１）は、他のコイル結線体３における通電時の最も低電圧側の単コイルＵＢ４（ＵＡ４）以外の単コイルと、ステータコア２の周方向Ｃに隣接している。この隣接状態は、Ｖ相及びＷ相のコイル４Ｖ、４Ｗについても同様である。
【００２５】
各コイル結線体３における通電時の最も高電圧側の単コイルＵＡ１等から外部機器と接続するために引き出した引出線４１と、他のコイル結線体３における通電時の最も高電圧側の単コイルＵＢ１等から外部機器と接続するために引き出した引出線４１とは、互いに隣接していない同相のスロット２１からそれぞれ引き出されている。
なお、図１〜図４は、ステータ１の巻線部３０における三相のコイル４Ｕ、４Ｖ、４Ｗの配置状態を示す図であり、巻線部３０の電気的な接続状態を示す図であり、図６は、Ｕ相のコイル４Ｕの配置状態を模式的に示す図である。また、図６においては、Ｕ相のコイル４Ｕを示すが、Ｖ相、Ｗ相のコイル４Ｖ、４Ｗについても同様である。
【００２６】
以下に、本例のステータ１の巻線構造につき、図１〜図７を参照して詳説する。
本例のステータ１は、ハイブリッドカー、電気自動車等に使用する三相交流のモータ、ジェネレータ、モータジェネレータ等に用いるものである。
図５に示すごとく、本例の巻線部３０は、コイル結線体３を２個有すると共に、２個のコイル結線体３を並列に接続してなる。コイル結線体３におけるＵ相、Ｖ相及びＷ相のコイル４Ｕ、４Ｖ、４Ｗは、単コイルＵＡ１〜４等（又はＵＢ１〜４等）を４個直列に連ねて形成してある。また、本例の巻線部３０は、Ｕ相、Ｖ相及びＷ相のコイル４Ｕ、４Ｖ、４Ｗに対して、Ｙ結線（スター結線）を行ってコイル結線体３Ａ、３Ｂを形成している。
【００２７】
各相のコイル４Ｕ、４Ｖ、４Ｗの数は８個であり、ステータコア２には、４８個（８×２×３＝４８）のスロット２１が形成されている。ステータコア２は、その軸方向Ｌに複数の電磁鋼板（軟磁性材料からなるコアシート）を積層してなる。ステータコア２における各相のスロット２１Ｕ、２１Ｖ、２１Ｗは、２個ずつが互いに隣接して形成されている（図２〜図４参照）。
【００２８】
図１に示すごとく、本例の巻線部３０は、ステータコア２の径方向Ｒにおける外周側から順に、Ｗ相のコイル４Ｗ、Ｖ相のコイル４Ｖ及びＵ相のコイル４Ｕを配置してなる。なお、ステータコア２の径方向Ｒにおける外周側から配置する各相のコイル４Ｕ、４Ｖ、４Ｗの配置順序は、種々の順序とすることができる。
また、図６に示すごとく、各相のコイル４Ｕ、４Ｖ、４Ｗは、ループ状に巻回した複数本の導線３１を束ねてなる（同図においては導線３１を束ねた状態を省略している。）。各相のコイル４Ｕ、４Ｖ、４Ｗは、ステータコア２の軸方向Ｌに平行な一対のストレート部３２がスロット２１内に配置されており、残りの部分が、ステータコア２の軸方向Ｌの両端面２０１から突出して一対のコイルエンド部３３を形成している。
【００２９】
図１、図５に示すごとく、一方のコイル結線体３ＡにおけるＵ相のコイル４Ｕの通電時の最も高電圧側の単コイルＵＡ１から引き出した一方の引出線４１と、他方のコイル結線体３ＢにおけるＵ相のコイル４Ｕの通電時の最も高電圧側の単コイルＵＢ１から引き出した他方の引出線４１とは、互いに結線してＵ相引出端子５Ｕを形成している。また、一方のコイル結線体３ＡにおけるＶ相のコイル４Ｖの通電時の最も高電圧側の単コイルＶＡ１から引き出した一方の引出線４１と、他方のコイル結線体３ＢにおけるＶ相のコイル４Ｖの通電時の最も高電圧側の単コイルＶＢ１から引き出した他方の引出線４１とは、互いに結線してＶ相引出端子５Ｖを形成している。さらに、一方のコイル結線体３ＡにおけるＷ相のコイル４Ｗの通電時の最も高電圧側の単コイルＷＡ１から引き出した一方の引出線４１と、他方のコイル結線体３ＢにおけるＷ相のコイル４Ｗの通電時の最も高電圧側の単コイルＷＢ１から引き出した他方の引出線４１とは、互いに結線してＷ相引出端子５Ｗを形成している。
【００３０】
図５に示すごとく、一方のコイル結線体３ＡにおけるＵ相のコイル４Ｕは、Ｕ相引出端子５Ｕに最も近い高電圧側から、一方側第１単コイルＵＡ１、一方側第２単コイルＵＡ２、一方側第３単コイルＵＡ３及び一方側第４単コイルＵＡ４を連ねてなる。他方のコイル結線体３ＢにおけるＵ相のコイル４Ｕは、Ｕ相引出端子５Ｕに最も近い高電圧側から、他方側第１単コイルＵＢ１、他方側第２単コイルＵＢ２、他方側第３単コイルＵＢ３及び他方側第４単コイルＵＢ４を連ねてなる。
【００３１】
また、一方のコイル結線体３ＡにおけるＶ相のコイル４Ｖは、Ｖ相引出端子５Ｖに最も近い高電圧側から、一方側第１単コイルＶＡ１、一方側第２単コイルＶＡ２、一方側第３単コイルＶＡ３及び一方側第４単コイルＶＡ４を連ねてなる。他方のコイル結線体３ＢにおけるＶ相のコイル４Ｖは、Ｖ相引出端子５Ｖに最も近い高電圧側から、他方側第１単コイルＶＢ１、他方側第２単コイルＶＢ２、他方側第３単コイルＶＢ３及び他方側第４単コイルＶＢ４を連ねてなる。
【００３２】
さらに、一方のコイル結線体３ＡにおけるＷ相のコイル４Ｗは、Ｗ相引出端子５Ｗに最も近い高電圧側から、一方側第１単コイルＷＡ１、一方側第２単コイルＷＡ２、一方側第３単コイルＷＡ３及び一方側第４単コイルＷＡ４を連ねてなる。他方のコイル結線体３ＢにおけるＷ相のコイル４Ｗは、Ｗ相引出端子５Ｗに最も近い高電圧側から、他方側第１単コイルＷＢ１、他方側第２単コイルＷＢ２、他方側第３単コイルＷＢ３及び他方側第４単コイルＷＢ４を連ねてなる。
【００３３】
また、図６に示すごとく、各相のコイル４Ｕ、４Ｖ、４Ｗにおいて、各単コイルＵＡ１〜４等同士の間は、渡線３４によって繋がっている。
また、図１に示すごとく、Ｕ相、Ｖ相、Ｗ相の各コイル４Ｕ、４Ｖ、４Ｗのコイルエンド部３３同士の間（本例では、Ｕ相とＶ相との間、及びＶ相とＷ相との間）には、相間の絶縁性を確保するための相間絶縁紙３５が配置されている。
また、図示は省略するが、各相の引出端子５Ｕ、５Ｖ、５Ｗによって結線される引出線４１、及び第１、第２中性点ＰＢを形成する引出線４１は、被覆部材によって被覆されている。
【００３４】
図２に示すごとく、一方のコイル結線体３ＡにおけるＵ相のコイル４Ｕの通電時の最も高電圧側の一方側第１単コイルＵＡ１から引き出した一方の引出線４１と、他方のコイル結線体３ＢにおけるＵ相のコイル４Ｕの通電時の最も高電圧側の一方側第１単コイルＵＡ１から引き出した他方の引出線４１とは、互いに隣接していないＵ相のスロット２１Ｕからそれぞれ引き出されている。また、図３に示すごとく、一方のコイル結線体３ＡにおけるＶ相のコイル４Ｖの通電時の最も高電圧側の一方側第１単コイルＶＡ１から引き出した一方の引出線４１と、他方のコイル結線体３ＢにおけるＶ相のコイル４Ｖの通電時の最も高電圧側の他方側第１単コイルＶＢ１から引き出した他方の引出線４１とは、互いに隣接していないＶ相のスロット２１Ｖからそれぞれ引き出されている。さらに、図４に示すごとく、一方のコイル結線体３ＡにおけるＷ相のコイル４Ｗの通電時の最も高電圧側の一方側第１単コイルＷＡ１から引き出した一方の引出線４１と、他方のコイル結線体３ＢにおけるＷ相のコイル４Ｗの通電時の最も高電圧側の他方側第１単コイルＷＢ１から引き出した他方の引出線４１とは、互いに隣接していないＷ相のスロット２１Ｗからそれぞれ引き出されている。
【００３５】
図１〜図４に示すごとく、一方のコイル結線体３Ａにおいては、Ｕ相のコイル４Ｕの通電時の最も低電圧側の一方側第４単コイルＵＡ４から引き出した引出線４１と、Ｖ相のコイル４Ｖの通電時の最も低電圧側の一方側第４単コイルＶＡ４から引き出した引出線４１と、Ｗ相のコイル４Ｗの通電時の最も低電圧側の一方側第４単コイルＷＡ４から引き出した引出線４１とが結線されて、第１中性点ＰＡを形成している。また、他方のコイル結線体３Ｂにおいては、Ｕ相のコイル４Ｕの通電時の最も低電圧側の他方側第４単コイルＵＢ４から引き出した引出線４１と、Ｖ相のコイル４Ｖの通電時の最も低電圧側の他方側第４単コイルＶＢ４から引き出した引出線４１と、Ｗ相のコイル４Ｗの通電時の最も低電圧側の他方側第４単コイルＷＢ４から引き出した引出線４１とが結線されて、第２中性点ＰＢを形成している。
【００３６】
図２、図６に示すごとく、一方のコイル結線体３ＡにおけるＵ相のコイル４Ｕの単コイルＵＡ１〜４と、他方のコイル結線体３ＢにおけるＵ相のコイル４Ｕの単コイルＵＢ１〜４とは、ステータコア２の周方向Ｃに交互に配置されている。また、図３に示すごとく、一方のコイル結線体３ＡにおけるＶ相のコイル４Ｖの単コイルＶＡ１〜４と、他方のコイル結線体３ＢにおけるＶ相のコイル４Ｖの単コイルＶＢ１〜４とは、ステータコア２の周方向Ｃに交互に配置されている。また、図４に示すごとく、一方のコイル結線体３ＡにおけるＷ相のコイル４Ｗの単コイルＷＡ１〜４と、他方のコイル結線体３ＢにおけるＷ相のコイル４Ｗの単コイルＷＢ１〜４とは、ステータコア２の周方向Ｃに交互に配置されている。
【００３７】
図２、図６に示すごとく、一方のコイル結線体３ＡにおけるＵ相のコイル４Ｕは、通電時の最も高電圧側の一方側第１単コイルＵＡ１から通電時の最も低電圧側の一方側第４単コイルＵＡ４まで順に、ステータコア２の周方向一方側Ｃ１に向けて、ステータコア２の周方向Ｃに等間隔に分散して配置されている。また、他方のコイル結線体３ＢにおけるＵ相のコイル４Ｕは、通電時の最も高電圧側の他方側第１単コイルＵＢ１を、一方側第１単コイルＵＡ１と一方側第２単コイルＵＡ２との間に配置して、通電時の最も高電圧側の他方側第１単コイルＵＢ１から通電時の最も低電圧側の他方側第４単コイルＵＢ４まで順に、ステータコア２の周方向他方側Ｃ２に向けて、ステータコア２の周方向Ｃに等間隔に分散して配置されている。
なお、図３、図４に示すごとく、Ｖ相のコイル４Ｖ及びＷ相のコイル４Ｗについても同様に、ステータコア２の周方向Ｃに等間隔に分散して配置されている。
【００３８】
同２に示すごとく、Ｕ相のコイル４Ｕにおいて、一方側第１単コイルＵＡ１には、他方側第１単コイルＵＢ１と他方側第２単コイルＵＢ２とがステータコア２の周方向Ｃに隣接しており、他方側第１単コイルＵＢ１には、一方側第１単コイルＵＡ１と一方側第２単コイルＵＡ２とがステータコア２の周方向Ｃに隣接している。また、Ｕ相のコイル４Ｕにおいて、一方側第４単コイルＵＡ４には、他方側第２単コイルＵＢ２と他方側第３単コイルＵＢ３とがステータコア２の周方向Ｃに隣接しており、他方側第４単コイルＵＢ４には、一方側第２単コイルＵＡ２と一方側第３単コイルＵＡ３とがステータコア２の周方向Ｃに隣接している。
【００３９】
図３に示すごとく、Ｖ相のコイル４Ｖにおいて、一方側第１単コイルＶＡ１には、他方側第１単コイルＶＢ１と他方側第２単コイルＶＢ２とがステータコア２の周方向Ｃに隣接しており、他方側第１単コイルＶＢ１には、一方側第１単コイルＶＡ１と一方側第２単コイルＶＡ２とがステータコア２の周方向Ｃに隣接している。また、Ｖ相のコイル４Ｖにおいて、一方側第４単コイルＶＡ４には、他方側第２単コイルＶＢ２と他方側第３単コイルＶＢ３とがステータコア２の周方向Ｃに隣接しており、他方側第４単コイルＶＢ４には、一方側第２単コイルＶＡ２と一方側第３単コイルＶＡ３とがステータコア２の周方向Ｃに隣接している。
【００４０】
図４に示すごとく、Ｗ相のコイル４Ｗにおいて、一方側第１単コイルＷＡ１には、他方側第１単コイルＷＢ１と他方側第２単コイルＷＢ２とがステータコア２の周方向Ｃに隣接しており、他方側第１単コイルＷＢ１には、一方側第１単コイルＷＡ１と一方側第２単コイルＷＡ２とがステータコア２の周方向Ｃに隣接している。また、Ｗ相のコイル４Ｗにおいて、一方側第４単コイルＷＡ４には、他方側第２単コイルＷＢ２と他方側第３単コイルＷＢ３とがステータコア２の周方向Ｃに隣接しており、他方側第４単コイルＷＢ４には、一方側第２単コイルＷＡ２と一方側第３単コイルＷＡ３とがステータコア２の周方向Ｃに隣接している。
【００４１】
なお、一方のコイル結線体３ＡにおけるＵ相のコイル４Ｕを形成する４個の単コイルＵＡ１〜４と、他方のコイル結線体３ＢにおけるＵ相のコイル４Ｕを形成する４個の単コイルＵＢ１〜４との巻き方向は互いに逆になっている。そして、互いに隣接する同相のスロット２１内に配置したコイルにおいて、電流が流れる方向が同じになるようにしている。なお、図１〜図４において、各単コイルＵＡ１〜４等における×印の丸と、点印の丸とは、電流の流れる方向が逆であることを示している。Ｖ相のコイル４Ｖ、Ｗ相のコイル４Ｗについても同様である。
【００４２】
図７に示すごとく、三相のコイル４Ｕ、４Ｖ、４Ｗを有する巻線部３０は、電圧形インバータ６によって通電される。
同図は、電圧形インバータ６の電気的構成を簡略的に示す図である。電圧形インバータ６は、直流電源６１に対して、直列に接続した２つのスイッチング素子６２を３つ並列に接続し、各２つのスイッチング素子６２の間から引き出した３つの端子部６３を有している。そして、巻線部３０におけるＵ相引出端子５Ｕ、Ｖ相引出端子５Ｖ及びＷ相引出端子５Ｗを、この３つの端子部６３にそれぞれ接続する。
【００４３】
ここで、直流電源６１に近い直列の２つのスイッチング素子６２から順に、高電圧側第１スイッチング素子６２Ａ及び低電圧側第１スイッチング素子６２Ｂ、高電圧側第２スイッチング素子６２Ｃ及び低電圧側第２スイッチング素子６２Ｄ、高電圧側第３スイッチング素子６２Ｅ及び低電圧側第３スイッチング素子６２Ｆとする。
そして、例えば、図７に示すごとく、高電圧側第１スイッチング素子６２Ａ及び低電圧側第２スイッチング素子６２ＤをＯＮにしたとき、Ｕ相引出端子５ＵからＶ相引出端子５Ｖに向けて電流が流れ、２つのコイル結線体３におけるＵ相のコイル４Ｕ及びＶ相のコイル４Ｖに直流電源６１の電圧が印加される。このとき、直流電源６１の電圧をＶｄｃとしたとき、図５に示すごとく、各中性点ＰＡ、ＰＢからＵ相引出端子５Ｕまでの各Ｕ相のコイル４Ｕに印加される電位差は、１／２×Ｖｄｃとなり、Ｖ相引出端子５Ｖから各中性点ＰＡ、ＰＢまでの各Ｖ相のコイル４Ｖに印加される電位差は、１／２×Ｖｄｃとなる。そして、Ｕ相のコイル４Ｕにおいて、第１単コイルと第４単コイルとの間に生ずる最大電位差は、１／２×Ｖｄｃとなる。
【００４４】
また、例えば、高電圧側第１スイッチング素子６２Ａ及び低電圧側第３スイッチング素子６２ＦをＯＮにしたとき、Ｕ相引出端子５ＵからＷ相引出端子５Ｗに向けて電流が流れ、２つのコイル結線体３におけるＵ相のコイル４Ｕ及びＷ相のコイル４Ｗに直流電源６１の電圧が印加され、Ｕ相のコイル４Ｕ及びＷ相のコイル４Ｗにおける電位差は上記と同様になる。また、例えば、高電圧側第２スイッチング素子６２Ｃ及び低電圧側第３スイッチング素子６２ＦをＯＮにしたとき、Ｖ相引出端子５ＶからＷ相引出端子５Ｗに向けて電流が流れ、２つのコイル結線体３におけるＶ相のコイル４Ｖ及びＷ相のコイル４Ｗに直流電源６１の電圧が印加され、Ｖ相のコイル４Ｖ及びＷ相のコイル４Ｗにおける電位差は上記と同様になる。
【００４５】
本例のステータ１の巻線構造においては、各コイル結線体３における引出線４１の長さを短くするためには、各引出線４１を互いに隣接する同相のスロット２１から引き出していた従来の常識を覆し、各コイル結線体３における引出線４１を互いに隣接しない同相のスロット２１から引き出している。
【００４６】
すなわち、本例においては、Ｕ相、Ｖ相及びＷ相のコイル４Ｕ、４Ｖ、４Ｗについて、一方のコイル結線体３Ａにおける通電時の最も低電圧側の一方側第４単コイルＵＡ４（ＶＡ４、ＷＡ４）には、他方のコイル結線体３Ｂにおける他方側第２単コイルＵＢ２（ＶＢ２、ＷＢ２）と他方側第３単コイルＵＢ３（ＶＢ３、ＷＢ３）とがステータコア２の周方向Ｃに隣接している。また、他方のコイル結線体３Ｂにおける通電時の最も低電圧側の一方側第４単コイルＵＡ４（ＶＡ４、ＷＡ４）には、一方のコイル結線体３Ａにおける一方側第２単コイルＵＡ２（ＶＡ２、ＷＡ２）と一方側第３単コイルＵＡ３（ＶＡ３、ＷＡ３）とがステータコア２の周方向Ｃに隣接している。そして、Ｕ相、Ｖ相及びＷ相のコイル４Ｕ、４Ｖ、４Ｗについて、一方側第１単コイルＵＡ１（ＶＡ１、ＷＡ１）から引き出した一方の引出線４１と、他方側第１単コイルＵＢ１（ＶＢ１、ＷＢ１）から引き出した他方の引出線４１とは、互いに隣接していない同相のスロット２１からそれぞれ引き出されている。
【００４７】
これにより、一方のコイル結線体３Ａにおける通電時の最も高電圧側の一方側第１単コイルＵＡ１（ＶＡ１、ＷＡ１）と、他方のコイル結線体３Ｂにおける通電時の最も低電圧側の他方側第４単コイルＵＢ４（ＶＢ４、ＷＢ４）とが、ステータコア２の周方向Ｃに隣り合って接触することを防止することができる。また、他方のコイル結線体３Ｂにおける通電時の最も高電圧側の他方側第１単コイルＵＢ１（ＶＢ１、ＷＢ１）と、一方のコイル結線体３Ａにおける通電時の最も低電圧側の他方側第４単コイルＵＡ４（ＶＡ４、ＷＡ４）とが、ステータコア２の周方向Ｃに隣り合って接触することを防止することができる。
【００４８】
具体的には、本例のステータ１の巻線構造においては、単コイル同士の間に生ずる最大電位差は、一方側第４単コイルＵＡ４（ＶＡ４、ＷＡ４）と他方側第２単コイルＵＢ２（ＶＢ２、ＷＢ２）との間の最大電位差、又は他方側第４単コイルＵＢ４（ＶＢ４、ＷＢ４）と一方側第２単コイルＵＡ２（ＶＡ２、ＷＡ２）との間の最大電位差であり、３／８×Ｖｄｃ（３／４×１／２×Ｖｄｃ）となる。なお、図１〜図４において、最大電位差の生じる単コイルの間をマークによって示し、図５において、最大電位差の生じる単コイルの間を矢印で示す。
これに対し、従来のステータ９の巻線構造においては、図１８に示すごとく、単コイル同士の間に生ずる最大電位差は、一方側第４単コイルＵＡ４（ＶＡ４、ＷＡ４）と他方側第１単コイルＵＢ１（ＶＢ１、ＷＢ１）との間の最大電位差、又は他方側第４単コイルＵＢ４（ＶＢ４、ＷＢ４）と一方側第１単コイルＵＡ１（ＶＡ１、ＷＡ１）との間の最大電位差であり、１／２×Ｖｄｃとなる。
【００４９】
したがって、本例のステータ１の巻線構造によれば、従来の巻線構造に比べて、各単コイル間に生ずる最大電位差を緩和できることがわかる。
そのため、各単コイルにおいて、互いに接触する又は接触する可能性のある導線３１同士の間に生じる電位差を緩和することができ、導線３１における絶縁被膜の厚みを小さくすることができる。
【００５０】
また、２個のコイル結線体３における単コイルは、各相のコイル４Ｕ、４Ｖ、４Ｗ毎に交互に繰り返し並ぶよう、ステータコア２の周方向Ｃに等間隔に分散して配置されている。これにより、２個のコイル結線体３における各相のコイル４Ｕ、４Ｖ、４Ｗ毎に、４個の単コイルを構成する導線３１の巻き方向を同じにすることができ、４個の単コイルを交互に逆巻きにする必要がなくなる。そのため、各相のコイル４Ｕ、４Ｖ、４Ｗの形成が容易であり、複雑な巻線を行う必要がなくなる。
【００５１】
それ故、本例のステータ１の巻線構造によれば、コイル４の形成が容易であると共に、同相のコイルにおける接触部位に生ずる電位差を小さくすることができ、ひいては、各相のコイル４Ｕ、４Ｖ、４Ｗを構成する導線３１における絶縁被膜の厚みを小さくすることができる。
【００５２】
また、絶縁被膜の厚みを小さくすることにより、導線３１全体の外径を小さくすることができることにより、複数本の導線３１を束ねた単コイルの断面積を小さくすることができる。そのため、スロット２１内に占める導体部分の割合を小さくすることができ、ステータコア２のティース部（スロット２１同士の間の部分）の周方向Ｃの幅、バックヨークの径方向Ｒの幅を大きくすることができる。ひいては、ステータコア２を通過させる磁束の飽和を緩和させることができ、ステータ１を用いて構成したモータ等の出力性能を向上させることができる。
また、複数本の導線３１を束ねた単コイルの断面積を小さくできることにより、ステータ１におけるコイルエンド部３３を小さくして、ステータ１全体のサイズを小型化することができる。
【００５３】
（実施例２）
本例は、図８〜図１３に示すごとく、上記実施例１に示した巻線部３０において、一方のコイル結線体３Ａにおける各相のコイル４Ｕ、４Ｖ、４Ｗの４個の単コイルＵＡ１〜４（ＶＡ１〜４、ＷＡ１〜４）と、他方のコイル結線体３Ｂにおける各相のコイル４Ｕ、４Ｖ、４Ｗの４個の単コイルＵＢ１〜４（ＶＢ１〜４、ＷＢ１〜４）との配置位置を変更した例である。
具体的には、図８〜図１１、図１３に示すごとく、本例の他方のコイル結線体３Ｂは、通電時の最も高電圧側の他方側第１単コイルＵＢ１（ＶＢ１、ＷＢ１）を、一方のコイル結線体３Ａにおける一方側第２単コイルＵＡ２（ＶＡ２、ＷＡ２）と一方側第３単コイルＵＡ３（ＶＡ３、ＷＡ３）との間に配置して、他方側第１単コイルＵＢ１（ＶＢ１、ＷＢ１）から他方側第４単コイルＵＢ４（ＶＢ４、ＷＢ４）まで順に、ステータコア２の周方向他方側Ｃ２に向けて配置してある。
【００５４】
そして、図９に示すごとく、Ｕ相のコイル４Ｕにおいて、一方側第１単コイルＵＡ１には、他方側第２単コイルＵＢ２と他方側第３単コイルＵＢ３とがステータコア２の周方向Ｃに隣接しており、他方側第１単コイルＵＢ１には、一方側第２単コイルＵＡ２と一方側第３単コイルＵＡ３とがステータコア２の周方向Ｃに隣接している。また、Ｕ相のコイル４Ｕにおいて、一方側第４単コイルＵＡ４には、他方側第３単コイルＵＢ３と他方側第４単コイルＵＢ４とがステータコア２の周方向Ｃに隣接しており、他方側第４単コイルＵＢ４には、一方側第３単コイルＵＡ３と一方側第４単コイルＵＡ４とがステータコア２の周方向Ｃに隣接している。
【００５５】
また、図１０に示すごとく、Ｖ相のコイル４Ｖにおいて、一方側第１単コイルＶＡ１には、他方側第２単コイルＶＢ２と他方側第３単コイルＶＢ３とがステータコア２の周方向Ｃに隣接しており、他方側第１単コイルＶＢ１には、一方側第２単コイルＶＡ２と一方側第３単コイルＶＡ３とがステータコア２の周方向Ｃに隣接している。また、Ｖ相のコイル４Ｖにおいて、一方側第４単コイルＶＡ４には、他方側第３単コイルＶＢ３と他方側第４単コイルＶＢ４とがステータコア２の周方向Ｃに隣接しており、他方側第４単コイルＶＢ４には、一方側第３単コイルＶＡ３と一方側第４単コイルＶＡ４とがステータコア２の周方向Ｃに隣接している。
【００５６】
また、図１１に示すごとく、Ｗ相のコイル４Ｗにおいて、一方側第１単コイルＷＡ１には、他方側第２単コイルＷＢ２と他方側第３単コイルＷＢ３とがステータコア２の周方向Ｃに隣接しており、他方側第１単コイルＷＢ１には、一方側第２単コイルＷＡ２と一方側第３単コイルＷＡ３とがステータコア２の周方向Ｃに隣接している。また、Ｗ相のコイル４Ｗにおいて、一方側第４単コイルＷＡ４には、他方側第３単コイルＷＢ３と他方側第４単コイルＷＢ４とがステータコア２の周方向Ｃに隣接しており、他方側第４単コイルＷＢ４には、一方側第３単コイルＷＡ３と一方側第４単コイルＷＡ４とがステータコア２の周方向Ｃに隣接している。
【００５７】
本例のステータ１の巻線構造においては、図１２に示すごとく、単コイル同士の間に生ずる最大電位差は、一方側第３単コイルＵＡ３（ＶＡ３、ＷＡ３）と他方側第１単コイルＵＢ１（ＶＢ１、ＷＢ１）との間の最大電位差、又は他方側第３単コイルＵＢ３（ＶＢ３、ＷＢ３）と一方側第１単コイルＵＡ１（ＶＡ１、ＷＡ１）との間の最大電位差であり、３／８×Ｖｄｃ（３／４×１／２×Ｖｄｃ）となる。これにより、本例のステータ１の巻線構造によっても、従来の巻線構造に比べて、各単コイル間に生ずる最大電位差を緩和できることがわかる。
【００５８】
そのため、各単コイルにおいて、互いに接触する又は接触する可能性のある導線３１同士の間に生じる電位差を緩和することができ、導線３１における絶縁被膜の厚みを小さくすることができる。
本例においても、その他の構成は上記実施例１と同様であり、上記実施例１と同様の作用効果を得ることができる。
【００５９】
（実施例３）
本例は、図１４に示すごとく、Ｕ相、Ｖ相及びＷ相のコイル４Ｕ、４Ｖ、４Ｗに対して、Δ（デルタ）結線を行ってコイル結線体３を形成した巻線部３０について示す例である。本例においても、２個のコイル結線体３をステータコア２に配置する状態は、上記実施例１と同様である一方、各コイル結線体３の結線状態が上記実施例１と異なる。
【００６０】
具体的には、本例においては、同図に示すごとく、一方のコイル結線体３Ａにおいて、Ｕ相のコイル４Ｕにおける通電時の最も低電圧側の一方側第４単コイルＵＡ４から引き出した引出線４１と、Ｖ相のコイル４Ｖにおける通電時の最も高電圧側の一方側第１単コイルＶＡ１から引き出した引出線４１とが、互いに結線されており、他方のコイル結線体３Ｂにおいて、Ｕ相のコイル４Ｕにおける通電時の最も低電圧側の他方側第４単コイルＵＢ４から引き出した引出線４１と、Ｖ相のコイル４Ｖにおける通電時の最も高電圧側の他方側第１単コイルＶＢ１から引き出した引出線４１とが、互いに結線されている。そして、両方の結線部を合わせて、Ｕ−Ｖ端子５ＵＶが形成されている。
【００６１】
また、一方のコイル結線体３Ａにおいて、Ｖ相のコイル４Ｖにおける通電時の最も低電圧側の一方側第４単コイルＶＡ４から引き出した引出線４１と、Ｗ相のコイル４Ｗにおける通電時の最も高電圧側の一方側第１単コイルＷＡ１から引き出した引出線４１とが、互いに結線されており、他方のコイル結線体３Ｂにおいて、Ｖ相のコイル４Ｖにおける通電時の最も低電圧側の他方側第４単コイルＶＢ４から引き出した引出線４１と、Ｗ相のコイル４Ｗにおける通電時の最も高電圧側の他方側第１単コイルＷＢ１から引き出した引出線４１とが、互いに結線されている。そして、両方の結線部を合わせて、Ｖ−Ｗ端子５ＶＷが形成されている。
【００６２】
また、一方のコイル結線体３Ａにおいて、Ｗ相のコイル４Ｗにおける通電時の最も低電圧側の一方側第４単コイルＶＡ４から引き出した引出線４１と、Ｕ相のコイル４Ｕにおける通電時の最も高電圧側の一方側第１単コイルＵＡ１から引き出した引出線４１とが、互いに結線されており、他方のコイル結線体３Ｂにおいて、Ｗ相のコイル４Ｗにおける通電時の最も低電圧側の他方側第４単コイルＶＢ４から引き出した引出線４１と、Ｕ相のコイル４Ｕにおける通電時の最も高電圧側の他方側第１単コイルＶＢ１から引き出した引出線４１とが、互いに結線されている。そして、両方の結線部を合わせて、Ｗ−Ｕ端子５ＷＵが形成されている。
【００６３】
図１５に示すごとく、本例の巻線部３０におけるＵ−Ｖ端子５ＵＶ、Ｖ−Ｗ端子５ＶＷ、Ｗ−Ｕ端子５ＷＵは、それぞれ電圧形インバータ６における３つの端子部６３に接続される。
そして、電圧形インバータ６におけるスイッチング制御により、Ｗ−Ｕ端子５ＷＵからＵ−Ｖ端子５ＵＶへ電流を流すときには、２つのコイル結線体３におけるＵ相のコイル４Ｕに直流電源６１の電圧が印加される。
このとき、直流電源６１の電圧をＶｄｃとしたとき、Ｕ−Ｖ端子５ＵＶからＷ−Ｕ端子５ＷＵまでの各Ｕ相のコイル４Ｕに印加される電位差は、Ｖｄｃとなる。そして、各相のコイル４Ｕ、４Ｖ、４Ｗにおいて、第１単コイルＵＡ１（ＵＢ１）、ＶＡ１（ＶＢ１）、ＷＡ１（ＷＢ１）と第４単コイルＵＡ４（ＵＢ４）、ＶＡ４（ＶＢ４）、ＷＡ４（ＷＢ４）との間に生ずる最大電位差は、Ｖｄｃとなる。
【００６４】
本例においては、単コイル同士の間に生ずる最大電位差は、一方側第４単コイルＵＡ４（ＶＡ４、ＷＡ４）と他方側第２単コイルＵＢ２（ＶＢ２、ＷＢ２）との間の最大電位差、又は他方側第４単コイルＵＢ４（ＶＢ４、ＷＢ４）と一方側第２単コイルＵＡ２（ＶＡ２、ＷＡ２）との間の最大電位差であり、３／４×Ｖｄｃとなる。これにより、本例のステータ１の巻線構造によっても、従来の巻線構造に比べて、各単コイル間に生ずる最大電位差を緩和できることがわかる。なお、図１４において、最大電位差が生じる単コイルの間を、互いに対応するａ〜ｆのアルファベットを付して示す。
本例においても、その他の構成は上記実施例１と同様であり、上記実施例１と同様の作用効果を得ることができる。
【００６５】
（実施例４）
本例は、図１６に示すごとく、上記実施例３に示した巻線部３０において、一方のコイル結線体３Ａにおける各相のコイル４Ｕ、４Ｖ、４Ｗの４個の単コイルＵＡ１〜４（ＶＡ１〜４、ＷＡ１〜４）と、他方のコイル結線体３Ｂにおける各相のコイル４Ｕ、４Ｖ、４Ｗの４個の単コイルＵＢ１〜４（ＶＢ１〜４、ＷＢ１〜４）との配置位置を変更した例である。
具体的には、同図に示すごとく、本例の他方のコイル結線体３Ｂは、通電時の最も高電圧側の他方側第１単コイルＵＢ１を、一方のコイル結線体３Ａにおける一方側第２単コイルＵＡ２と一方側第３単コイルＵＡ３との間に配置して、他方側第１単コイルＵＢ１から他方側第４単コイルＵＢ４まで順に、ステータコア２の周方向他方側Ｃ２に向けて配置してある。
本例においては、２個のコイル結線体３をステータコア２に配置する状態は、上記実施例２と同様であり、各コイル結線体３の結線状態は上記実施例３と同様にデルタ結線としている。
【００６６】
本例の巻線部３０におけるＵ−Ｖ端子５ＵＶ、Ｖ−Ｗ端子５ＶＷ、Ｗ−Ｕ端子５ＷＵは、それぞれ電圧形インバータ６における３つの端子部６３に接続される（図１５参照）。
そして、電圧形インバータ６におけるスイッチング制御により、Ｗ−Ｕ端子５ＷＵからＵ−Ｖ端子５ＵＶへ電流を流すときには、２つのコイル結線体３におけるＵ相のコイル４Ｕに直流電源６１の電圧が印加される。
このとき、直流電源６１の電圧をＶｄｃとしたとき、Ｕ−Ｖ端子５ＵＶからＷ−Ｕ端子５ＷＵまでの各Ｕ相のコイル４Ｕに印加される電位差は、Ｖｄｃとなる。そして、各相のコイル４Ｕ、４Ｖ、４Ｗにおいて、第１単コイルＵＡ１（ＵＢ１）、ＶＡ１（ＶＢ１）、ＷＡ１（ＷＢ１）と第４単コイルＵＡ４（ＵＢ４）、ＶＡ４（ＶＢ４）、ＷＡ４（ＷＢ４）との間に生ずる最大電位差は、Ｖｄｃとなる。
【００６７】
そして、本例においては、単コイル同士の間に生ずる最大電位差は、一方側第３単コイルＵＡ３と他方側第１単コイルＵＢ１との間の最大電位差、又は他方側第３単コイルＵＢ３と一方側第１単コイルＵＡ１との間の最大電位差であり、３／４×Ｖｄｃとなる。これにより、本例のステータ１の巻線構造によっても、従来の巻線構造に比べて、各単コイル間に生ずる最大電位差を緩和できることがわかる。なお、図１６において、最大電位差が生じる単コイルの間を、互いに対応するａ〜ｆのアルファベットを付して示す。
本例においても、その他の構成は上記実施例１と同様であり、上記実施例１と同様の作用効果を得ることができる。
【図面の簡単な説明】
【００６８】
【図１】実施例１における、ステータの巻線部における三相のコイルの配置状態を示す説明図。
【図２】実施例１における、ステータの巻線部におけるＵ相のコイルの配置状態を示す説明図。
【図３】実施例１における、ステータの巻線部におけるＶ相のコイルの配置状態を示す説明図。
【図４】実施例１における、ステータの巻線部におけるＷ相のコイルの配置状態を示す説明図。
【図５】実施例１における、三相のコイルをＹ結線してなる巻線部の電気的な接続状態を示す説明図。
【図６】実施例１における、Ｕ相のコイルの配置状態を模式的に示す説明図。
【図７】実施例１における、インバータと巻線部との電気的な接続状態を示す説明図。
【図８】実施例２における、ステータの巻線部における三相のコイルの配置状態を示す説明図。
【図９】実施例２における、ステータの巻線部におけるＵ相のコイルの配置状態を示す説明図。
【図１０】実施例２における、ステータの巻線部におけるＶ相のコイルの配置状態を示す説明図。
【図１１】実施例２における、ステータの巻線部におけるＷ相のコイルの配置状態を示す説明図。
【図１２】実施例２における、三相のコイルをＹ結線してなる巻線部の電気的な接続状態を示す説明図。
【図１３】実施例２における、Ｕ相のコイルの配置状態を模式的に示す説明図。
【図１４】実施例３における、三相のコイルをデルタ結線してなる巻線部の電気的な接続状態を示す説明図。
【図１５】実施例３における、インバータと巻線部との電気的な接続状態を示す説明図。
【図１６】実施例４における、三相のコイルをデルタ結線してなる巻線部の電気的な接続状態を示す説明図。
【図１７】従来例における、ステータの巻線部における三相のコイルの配置状態を示す説明図。
【図１８】従来例における、三相のコイルをＹ結線してなる巻線部の電気的な接続状態を示す説明図。
【図１９】従来例における、Ｕ相のコイルの配置状態を模式的に示す説明図。
【符号の説明】
【００６９】
１  ステータ
２  ステータコア
２１Ｕ  Ｕ相のスロット
２１Ｖ  Ｖ相のスロット
２１Ｗ  Ｗ相のスロット
３０  巻線部
３Ａ  一方のコイル結線体
３Ｂ  他方のコイル結線体
３１  導線
４Ｕ  Ｕ相のコイル
４Ｖ  Ｖ相のコイル
４Ｗ  Ｗ相のコイル
４１  引出線
ＵＡ１、ＶＡ１、ＷＡ１  一方側第１単コイル
ＵＡ２、ＶＡ２、ＷＡ２  一方側第２単コイル
ＵＡ３、ＶＡ３、ＷＡ３  一方側第３単コイル
ＵＡ４、ＶＡ４、ＷＡ４  一方側第４単コイル
ＵＢ１、ＶＢ１、ＷＢ１  他方側第１単コイル
ＵＢ２、ＶＢ２、ＷＢ２  他方側第２単コイル
ＵＢ３、ＶＢ３、ＷＢ３  他方側第３単コイル
ＵＢ４、ＶＢ４、ＷＢ４  他方側第４単コイル
５Ｕ  Ｕ相引出端子
５Ｖ  Ｖ相引出端子
５Ｗ  Ｗ相引出端子
ＰＡ  第１中性点
ＰＢ  第２中性点
５ＵＶ  Ｕ−Ｖ端子
５ＶＷ  Ｖ−Ｗ端子
５ＷＵ  Ｗ−Ｕ端子
６  インバータ
Ｃ  周方向
Ｃ１  周方向一方側
Ｃ２  周方向他方側
Ｌ  軸方向
Ｒ  径方向
【図１】
2009131058.tif 000003
【図２】
2009131058.tif 000004
【図３】
2009131058.tif 000005
【図４】
2009131058.tif 000006
【図５】
2009131058.tif 000007
【図６】
2009131058.tif 000008
【図７】
2009131058.tif 000009
【図８】
2009131058.tif 000010
【図９】
2009131058.tif 000011
【図１０】
2009131058.tif 000012
【図１１】
2009131058.tif 000013
【図１２】
2009131058.tif 000014
【図１３】
2009131058.tif 000015
【図１４】
2009131058.tif 000016
【図１５】
2009131058.tif 000017
【図１６】
2009131058.tif 000018
【図１７】
2009131058.tif 000019
【図１８】
2009131058.tif 000020
【図１９】
2009131058.tif 000021